Podtech/llm-jp-corpus-v4-ja_patent huggingface dataset:
(57)【要約】      （修正有）【課題】微小金属またはセラミックス部品、特に厚さが０．５ｍｍ以下の部品のブラスト処理において、微小部品における有効なブラスト処理を実現する補助タンブラーを提供する。【解決手段】中央で分割した略半球網状の補助タンブラーにおいて、分割箇所のフランジ部分２０、３０の片方に或る弾性係数をもつ弾性体を取り付け、他方のフランジ部分に、前記弾性係数と異なる弾性体を取り付け、組み合わせた時にフランジ部分２０、３０に隙間ができないようにした。【選択図】図２
0003204617.tif 000002
【実用新案登録請求の範囲】
【請求項１】
加工室と主タンブラーとからなるブラスト加工装置であって、前記主タンブラーに装入してブラスト加工に使用する二分割からなる略球形の補助タンブラーにおいて、二つの半球の組み合わせ部分にフランジを設け、一方の半球のフランジ部分と他方の半球のフランジ部分に異なる弾性係数を有する弾性体を取り付けたことを特徴とする補助タンブラー。
【請求項２】
一方の弾性体はシリコンゴムで、他方の弾性体が樹脂であることを特徴とする請求項１に掲げる補助タンブラー。
【考案の詳細な説明】
【技術分野】
【０００１】本考案は金属またはセラミック製部品に対してショットブラスト処理（またはブラスト処理）を有効に行うための補助タンブラーであって、特に微小部品を処理する場合の補助タンブラー容器に関わる。
【背景技術】
【０００２】従来は特許文献１の図１にあるように、補助タンブラー本体１は、中央で二分割された略半球網状の補助タンブラー２および３に軽くて小さなセラミックス部品を入れた後に二つを組み合わせ、重ね合わせたフランジ（つば）４、５をクリップ６にて相互に固定され、これを加工室の主タンブラーに入れてブラスト処理をしていた。これにより、上記部品を直接に主タンブラーに入れることなく、上記部品のバリ取りや表面処理を効率的に行うことができていた。
【先行技術文献】
【０００３】
【特許文献１】特開２００２−３０１６６４
【考案の概要】
【考案が解決しようとする課題】
【０００４】特許文献１にて開示されている技術を、厚さが０．５ｍｍ以下の金属部品またはセラミックス部品に適用した場合、ブラスト処理中に部品紛失やブラスト処理が部品全体に均一に施されない課題があった。考案者らの実験によれば、上記部品の良品回収率は約６０％であって、その他の部品は補助タンブラーから外に飛び出し、たとえ補助タンブラーに残存していても、部品全体のブラスト処理ができていなかった。本考案の目的は上記課題を解決し、厚さが０．５ｍｍ以下の部品をブラスト処理中に紛失することなく、かつブラスト処理が部品全体に均一に施すことにある。
【課題を解決するための手段】
【０００５】考案者らの観察の結果、ブラスト処理中に上記フランジ５、６の間の隙間から部品が外に飛び出す、または前記隙間に部品が挟まっていることが判明した。前記フランジは、金属の板金加工で作られているため、前記隙間を皆無にすることは困難である。そこで前記隙間を埋めるために、フランジの重なり合う面に異なる弾性係数を持つ弾性体を取り付ける手段を取った。
【考案の効果】
【０００６】上記異なる弾性係数を持つ弾性体としてシリコンゴムと樹脂を使用して確認したところ、上記部品の良品回収率は約１００％となった。
【図面の簡単な説明】
【０００７】
【図１】従来の補助タンブラー
【図２】本考案の補助タンブラーの構成図
【図３】本考案のフランジ部分の断面図
【図４】本考案の補助タンブラーの完成図
【図５】本考案補助タンブラー完成時のフランジ部分断面図
【考案を実施するための形態】
【０００８】以下、本考案の実施の形態を図に基づいて説明する。
【実施例】
【０００９】図２は本考案の補助タンブラーの構成図であって、略半球状に加工された網１０と最大直径部分に備えられたフランジ２０および３０とから成る。略半球の直径は約１００ｍｍ、フランジの幅は約５ｍｍ、厚さは約２ｍｍである。【００１０】図３は本考案のフランジ部分の断面図であって、フランジ２０とフランジ３０には、それぞれの弾性係数の異なる弾性体２５および３５を取り付けてある。取り付けの形態は接着または保持金具（図示せず）を利用する。接着は、弾性体２５、３５とフランジ２０、３０との間に接着剤を介するか、或いは弾性体２５、３５に混合した接着材料により成される。また弾性体２５および３５の取り付け部位は、図２に示すようにフランジ２０、３０の全周である。【００１１】図４は本考案の補助タンブラーの完成図であって、二つの略半球の内部にブラスト処理すべき部品を入れた後に、フランジ部分を重ね合わせて固定したものである。フランジ部分の固定は複数個のクリップ４０にて行う。【００１２】図５は本考案の補助タンブラー完成時、即ちクリップで固定されたフランジ部分の断面図であって、弾性体２５と３５が隙間なく、重なっている状態を示す。この図は弾性体２５の弾性係数が弾性体３５より大きく、また弾性体２５の幅が弾性体３５より小さい場合の例を示す。即ち、弾性体２５が樹脂、弾性体３５がシリコンゴムに相当する。なお、弾性体２５および３５の弾性係数の組み合わせと断面形状および寸法は、この限りではない。【００１３】図５から明らかなように、補助タンブラーに入った部品は、弾性体２５および３５の密着作用により、ブラスト処理中に補助タンブラーから外側に飛び出ることはなく、また常に補助タンブラーの内部に留まっていることにより、まんべんなくブラスト処理される。なお、補助タンブラーに入れる部品の数は、補助タンブラーの容積の約２０％以下になるようにすることが望ましい。
【産業上の利用可能性】
【００１４】本考案は、微小な金属製またはセラミックス製の部品、特に厚さが０．５ｍｍ以下の部品のブラスト処理を行う場合に有効である。
【符号の説明】
【００１５】２、３        特許文献１における補助タンブラー
４、５        特許文献１におけるフランジ
６            クリップ
１０          網
２０，３０    本考案におけるフランジ
２５，３５    弾性体
４０          本考案におけるクリップ
【図１】
0003204617.tif 000003
【図２】
0003204617.tif 000004
【図３】
0003204617.tif 000005
【図４】
0003204617.tif 000006
【図５】
0003204617.tif 000007
(57)【要約】      （修正有）【課題】従来のネックレスは、パーツが小さく引き輪の開閉が困難な場合があった。【解決手段】本考案は、２つのパーツ１、２からなるネックレス本体の各パーツの接着面に磁石を使用し磁力で接着する構想にしたことで容易に装着可能とし、且つ留め具が動きまえにきてしまう問題も解決した。【選択図】図１
0003204619.tif 000002
【実用新案登録請求の範囲】
【請求項１】
ネックレス本体が２つのパーツからなる構成であって、各パーツの接着面に磁石が設置されており、磁力により２つのパーツが引き合うことで、一体となることを特徴とするペンダント。
【考案の詳細な説明】
【技術分野】
【０００１】  本考案は、ネックレスの装着を容易にしたネックレス本体構造の装身具であり装身具に関する。
【背景技術】
【０００２】  従来から、ネックレスの装着時に引き輪を開けその隙間に輪をかけて装着していた。
【先行技術文献】
【特許文献】
【０００３】
【特許文献１】登録実用新案第３０５０９４６号公報
【考案の概要】
【考案が解決しようとする課題】
【０００４】  従来のネックレスは装着時引き輪をあけその隙間に丸環やプレートの穴を通し装着しているがパーツが小さく爪先の形状や手先の器用さが求められるため、万人が容易に装着できるよう解決した。
【課題を解決するための手段】
【０００５】  本考案は、ネックレス本体を２つのパーツに分けそれぞれの接着面に磁石をつけることで磁力で２つのパーツが引き合うことで一体となる。デザインを損なうことなく困難な装着の問題点を解決している。
【考案の効果】
【０００６】  上述の様に、このペンダントパーツは２つのパーツ同士を引き合わせたり引き離すことで装着、脱着が可能となる。あらかじめ決められた長さのチェーンを使用する場合従来の丸環やプレートパーツは不要となる。但し長さ調節を必要とする場合それらのパーツやアジャスターを付けることも可能である。さらに本体パーツが固定されているため引き輪などの従来のパーツを使用しても体の動きや重さによって首の前に移動してしまう問題も解決できる。
【図面の簡単な説明】
【０００７】
【図１】本考案リリースペンダント全体図である。
【図２】接着面断面図である。
【考案を実施するための形態】
【０００８】  リリースペンダント本体に磁石を接着し磁力によって引き合わせるため磁石を接着するためにふさわしい大きさ深さの空間を持ったデザインとし、本体全体の重さを考慮した磁力の磁石を用いる。このとき磁石はパーツの淵の高さに合わせる。パーツにはチェーンをつなぐためあらかじめ丸環のあるデザインにする。
【実施例】
【０００９】  以下、添付図面に従って一実施例を説明する。本体パーツＡ１と本体パーツＢ２を引き離しチェーン３を首にかけた状態で本体パーツＡ１と本体パーツＢ２の接着面を合わせて装着する。はずす場合も同様である。
【産業上の利用可能性】
【００１０】本考案はペンダントを製造する産業で利用される。
【符号の説明】
【００１１】１  本体パーツＡ
２  本体パーツＢ
３  チェーン
４  本体磁石部断面
【図１】
0003204619.tif 000003
【図２】
0003204619.tif 000004
(57)【要約】      （修正有）【課題】従来のブレスレットは本体パーツが体の動きや重力により下に動いてしまっていた。【解決手段】ブレスレット本体パーツ１のずれを防止する為、本体パーツ１の一端にアジャスター部６を丸環３でつなぎ、アジャスター部の先に繋いだチェーン４を本体パーツのもう一方の丸環２に通し、チェーン端末に付けた引き輪５をアジャスター部の任意の位置に掛けることで、動きを制限し、かつ装着性を良くした。【選択図】図１
0003204618.tif 000002
【実用新案登録請求の範囲】
【請求項１】
本体パーツの一端にアジャスター部をつなぎ、アジャスター部の先に繋いだチェーンを本体パーツのもう一方の丸環に通し、チェーン端末に付けた引き輪をアジャスター部の任意の位置に掛けることで、長さの調節を可能とすることを特徴とするブレスレット。
【考案の詳細な説明】
【技術分野】
【０００１】  本考案はブレスレットパーツとチェーンが一体となっていることを特徴とし、長さ調節によりずれを防止する装身具に関する。
【背景技術】
【０００２】  従来から、ブレスレット装着中、体の動きや本体パーツの重さにより下に動いてしまっていた。
【先行技術文献】
【特許文献】
【０００３】
【特許文献１】登録実用新案第３０６６６５６号公報
【考案の概要】
【考案が解決しようとする課題】
【０００４】  従来のチェーンタイプのブレスレットは装着中、体の動きや本体パーツの重さにより下に動いてしまっていた。長さ調節可能なアジャスター部が本体部分のチェーンに絡み付いてしまう煩わしさもあったのでそれらを同時に解決しようとするものである。
【課題を解決するための手段】
【０００５】  本考案は本体パーツの一端にアジャスターをつなぎ、アジャスターの先に繋いだチェーンをもう一方の丸環に通しチェーンの端末に付けた引き輪をアジャスターに掛けることで長さ調節を可能とすることができる。長さ調節をする事でより腕の太さに合った装着感が得られると同時に本体パーツの回転アジャスター部の絡みつきを解決している。
【考案の効果】
【０００６】  上述の様に、本考案のブレスレット構造は、従来のブレスレット同様の脱着方法で、長さ調節が可能となりパーツの回転が防止出来ることは勿論、チェーンの一端を本体の丸環にくぐらせてある事でアジャスター部を手で押さえることなく片手で引き輪を掛けることができる。
【図面の簡単な説明】
【０００７】
【図１】本考案ブレスレット全体図である。
【考案を実施するための形態】
【０００８】  本体の丸環は本体チェーンがスムーズに通るサイズが好ましく、長さ調節のためのアジャスター部は引き輪をかけることができる輪の連続した形状のチェーンが好ましい。また全体のデザインを重視するため本体パーツと同素材の金属、色が好ましい。
【実施例】
【０００９】  以下、添付図面に従って実施例を説明する。製品の組み立て過程において丸環Ｂ３よりアジャスターチェーンを組み立て、アジャスター部６の末端にチェーン４を繋げる。このとき丸環Ａ２にチェーン４を通しておく。引き輪５を使い、アジャスター部６につなぐ。【００１０】  引き輪５を使い、アジャスター部６に繋ぐ時、自身の腕に対し最適な長さの部分で固定することが出来る。アジャスター部６が本体パーツ１に固定されていることで装着時のずれ防止も兼ねる。
装着具を繋げる。
【産業上の利用可能性】
【００１１】  本考案は、ブレスレットを製造する産業で利用される。
【符号の説明】
【００１２】１  本体パーツ
２  丸環Ａ
３  丸環Ｂ
４  チェーン
５  引き輪
６  アジャスター部
【図１】
0003204618.tif 000003
(57)【要約】      （修正有）【課題】体の大小、身長の長短に関係なく全身の指圧が出来て、自分で運動を加えることにより指圧効果に運動効果が加わり、より効果的になる指圧運動器具を提供する。【解決手段】指圧運動器具１は台形をし、台形の上の体に触れる左３Ｂ右４Ｂの両側に大突起２を並べ、その真ん中の中心線上に小突起を並べ、高さを少し低くした組み合せよりなる。【選択図】図２
0003204625.tif 000002
【実用新案登録請求の範囲】
【請求項１】
指圧器具は台形をし（１）、台形の上の体に触れる左（３Ｂ）右（４Ｂ）の両側にある大突起（２）を並べ、その真ん中の中心線上にある小突起を並べ、高さを少し低くした組み合せよりなる指圧運動器具。
【考案の詳細な説明】
【技術分野】
【０００１】  この発明は、これ一つで指圧、ツボ、頭から、姿勢、背骨骨盤，内臓、足の裏まで全身が出来る指圧器具に運動法を加味したものに関するものである。
【背景技術】
【０００２】  従来、全身が出来る指圧器具は皆無で全身をするには幾つもの指圧器具が必要である。
【考案の概要】
【考案が解決しようとする課題】
【０００３】  これは次のような欠点がある。従来、体の各部位別の器具はあるが、全身をおこなおうとすると指圧器具が幾つも必要になり、お金も非常に高くかかり大きいな無駄になる
などの欠点がある。
本発明は以上のような欠点をなくすためになされたものである。
【課題を解決するための手段】
【０００４】  指圧器具は長方形の台形、その上の突起は左右両側に大突起を並べ、指圧器具の真ん中中心線上の小突起を設け、高さも少し低くした理由は脊椎の棘突起・顔面の筋肉・でん部大殿筋・ふくらはぎなどの筋肉を施術の安全を考えて設けた。指圧部分の形、大きさ、高さを微妙に異なるようにした。
これ一つで体の大小、身長の長短に関係なく全身が出来る。指圧器具に押し圧しながら自分で運動を加えることにより指圧ツボ効果に運動効果が加わり、より効果的な刺激になる。
本発明は以上の構成よりなる指圧器具である。
【考案の効果】
【０００５】これ一つで全身が自分自身で出来る指圧運動器具。
「効果が認められる症状及び病気」頭、顔、首、肩、背中、腰，尻などのこりと痛みと疲れ。不良姿勢、猫背、歪んだ背骨骨盤、慢性の腰痛、慢性の疲労、神経痛、胸部、ぜんそく、長時間同じ姿勢で仕事、精神的疲労，下肢の疲れ、むくみ、冷え性、自律神経失調症、お腹、内蔵、胃腸、便秘、下痢、更年期障害、転倒予防、リハビリなど【０００６】高血圧，糖尿病、運動不足、生活の乱れ、生活習慣病、休み休み歩行，下肢の血流改善、美脚、細くなる足、疲れむくみ、膝関節痛、不眠、健康維持・増進などに有効．【０００７】高齢者激増時代、死ぬまで元気、いきいきと生きる。年よりくさくない年寄り。
悪い姿勢の改善と予防。脊柱管きょうさく症、休み休み歩行の改善。発明人自身腰痛下肢の痛みしびれ《低い椅子に座ると腰が痛い腰が伸びなく、ガニ股歩き、前及び本器具で治る。本考案はこり，疲れなどの専用指圧運動器具ではない。これからの高齢者激増時代、自分自身で色々な辛い所を楽にするよくする。転倒しにくくなる、骨折しにくくなる体作りに有効。生きる希望がわく、まったく新しい考えの元で生まれた指圧運動器具である。【０００８】「考案の効果その他」
生活にゆとりが生まれます。  お金が貯まります。
その理由、
治療院，整体、整骨院などに通う時間、交通費、治療費、治療時間などが不要になります。発明人は一切不要を経験ずみです。これ一つあれば自分自身でやりますとドンドン色々な辛い症状が改善良くなります。自信が付いてきます。秋冬春でも長風呂不要になります。【０００９】医療の原点は  手  を  あ  て  る  手当てです。
そこには愛があり、乱暴な使い方強い強い刺激などをしなければ安心安全です．
時々病医院で診察を受けることも大切です。
【実旋するための形態】
【００１０】以下、本考案を実旋形態について図１、２、３に基ずき説明をする。
体の大小、身長の長短に関係なく効果的な刺激になるように実旋方法は、指圧器具の上に体のやりたい部分を押し圧する。体を移動するようにすれば全身ができる。
材質は、木、竹、プラスチィク、紙、ゴム、金、銀、銅、プラチナなど。
本発明は以上のような構造、方法である。
【その他の応用例】
【００１１】指圧器具を片手又は両手に持ち、顔、腰、尻、モモ、ふくらはぎ、足全体を、こする・たたく刺激をしてください。血行促進、老廃物神経の働きの改善。美顔、美尻、下肢の疲れ、美脚、足の疲れ、むくみなどに有効。
【００１２】本考案の指圧運動器具を使用すれば多くの場所で、例えば、高齢者施設、運動施設、リハビリ施設、デイサービスなどで多くの人々の健康に寄与できる。
【図面の簡単な説明】
【００１３】
【図１】  左側面図
【図２】  正面図
【図３】  平面図
【符号の説明】
【００１４】  １  指圧の台形部分
２  体に触れる突起部分
３Ｂ  左側
４Ｂ  右側
【図１】
0003204625.tif 000003
【図２】
0003204625.tif 000004
【図３】
0003204625.tif 000005
(57)【要約】      （修正有）【課題】ビーズ玉に複数糸通し穴を貫通加工し、縦横、上下、前後、斜行いずれか任意の方向に連続的に緩衝部品を繋げてゆくビーズ玉の構成を提供する。【解決手段】ビーズ玉１に縦横、左右、前後、上下、各斜行それぞれの任意の方向に糸通し穴２を加工する。通し糸４を糸通し穴２の任意の本数、位置に通す。通し糸４に緩衝部品３を通し繋ぐ。緩衝部品３にビーズ玉１もしくは、緩衝部品３を通し繋げ任意の数量、方向へ連続して繋げる。こうして出来た一定の面、もしくは、立体型どおしをさらに繋ぎ組み立て、意図目的とする手工芸品、装飾品、シート、マット、玩具、収納整理ケース、その他を構成することで、多様化が可能となる。【選択図】図３
0003204624.tif 000002
【実用新案登録請求の範囲】
【請求項１】
任意の箇所に複数の糸通し穴を貫通加工したことを特徴とするビーズ玉。
【請求項２】
複数の糸通し穴が貫通加工されたビーズ玉と糸通し穴が貫通加工された緩衝部品を並べ繋げることを特徴とした構成。
【考案の詳細な説明】
【技術分野】
【０００１】本考案は、手工芸品、装飾品、宝飾品、シート、マット、玩具、収納品等、ビーズ玉を工芸工作使用することに関する。
【背景技術】
【０００２】従来は、一本の糸通し穴のみ貫通加工されたビーズ玉に糸を通し、繋がれた範囲のみで制作された構成作品のみであった。
【考案の概要】
【考案が解決しようとする課題】
【０００３】しかしながら、一本の糸通しのみの工作品だけでは、一元的繋がり工作品のみの種類、範囲であったため、ジャンル、カテゴリの多様性など、新規性の限度がせばめられていた。
【課題を解決するための手段】
【０００４】本考案は、横方向を基軸とした糸通し穴一本のみで繋がるビーズ玉の一元的繋がりに加え、さらに縦方向、上下方向、左右方向、複数斜方向へ糸通し穴をを加えることにより従来の範囲より、上面的、正面的、複数斜行的、放射的、多面的方向へ繋げて拡張構成させることが可能となる。
【考案の効果】
【０００５】上記目的を達成するため、請求項１の本考案に係るビーズ玉は、上下、左右、前後、複数斜行、総じて、放射状で繋がり拡張構成させることが可能となり、構成造形工作によるジャンルやカテゴリの多様性の範囲も多様化する。
【図面の簡単な説明】
【０００６】
【図１】本考案実施の複数糸通しビーズ玉に糸を通し緩衝部品を繋げた状態の平面図である。
【図２】本考案実施の複数糸通しビーズ玉に糸を通し緩衝部品を繋げた状態の断面図である。
【図３】本考案実地の複数糸通しビーズ玉に糸を通し緩衝部品を繋げた状態の斜視図である。
【符号の説明】
【０００７】  １  ビーズ玉
２  糸通し穴
３  緩衝部品
４  通し糸
【図１】
0003204624.tif 000003
【図２】
0003204624.tif 000004
【図３】
0003204624.tif 000005
(57)【要約】      （修正有）【課題】幼苗を育てるときに用いる栽培容器への灌水を有効に行える灌水制御装置を提供する。【解決手段】一群の栽培容器１２・・・１２を配置する支持水平枠２２中に、水平材を渡し、水平材に吊下げたところの一群の栽培容器１２・・・１２中のいずれか一つの栽培容器１２ａの下側に、上部漏斗部と該漏斗部の下部出口を挟む対向内面に発光部と受光部よりなるところのセンサー装置を取付け、発光部と受光部間の光線が遮断されたとき、センサー装置から出る信号を灌水ポンプ３４の停止スイッチ３９に入力し、灌水ポンプ３４が停止するようにしてある。【選択図】図１
0003204476.tif 000002
【実用新案登録請求の範囲】
【請求項１】
一群の栽培容器（１２・・・１２）を配置する支持水平枠（２２）中に、水平材（２３）を渡し、水平材（２３）に吊下げたところの一群の栽培容器（１２・・・１２）中のいずれか一つの栽培容器（１２ａ）の下側に、上部漏斗部（５２）と該漏斗部（５２）の下部出口（５３）を挟む対向内面（５４，５５）に発光部（６４）と受光部（６５）よりなるセンサー装置（６０）を取付け、発光部（６４）と受光部（６５）間の光線が遮断されたとき、センサー装置（６０）から出る信号（６２）を灌水ポンプ（３４）の停止スイッチ（３９）に入力し、灌水ポンプ（３４）が停止する一群の栽培容器への灌水制御装置。
【考案の詳細な説明】
【技術分野】
【０００１】
この考案は、野菜等の幼苗を育てるときに用いる栽培容器への灌水を制御する装置に関するものである。
【背景技術】
【０００２】
栽培容器へ灌水するのに、人手による灌水が一般的である（特許文献１）。また機械的に行う灌水も知られている（特許文献２）。更に栽培容器から出る余分な液体の雫を傾斜電導線に当て、傾斜電導線に沿って流下する雫によりセンサー装置を作動させ、灌水を停止させるようにした灌水制御装置も知られている。しかし灌水液に混入している廃液中の塩類により、電導線に設けたセンサーが誤作動を起こし、使用不能になることがある。
【先行技術文献】
【特許文献】
【０００３】
【特許文献１】実用新案登録第３１６８８５９号公報
【特許文献２】特開２０１５−８９３５３公報
【考案の概要】
【考案が解決しようとする課題】
【０００４】
栽培容器を通過した廃液中の肥料により傷つかない灌水制御装置を提供しようとするものである。
【課題を解決するための手段】
【０００５】
図面を参考にして説明する。この考案に係る一群の栽培容器１２・・・１２への灌水制御装置は、一群の栽培容器１２・・・１２を配置する水平支持枠２２中に、水平材２３を渡し、水平材２３に吊下げたところの一群の栽培容器１２・・・１２中のいずれか一つの栽培容器１２ａの下側に、上部漏斗部５２と該漏斗部５２の下部出口５３を囲む垂下周囲筒５１の対向内面５４，５５に発光部６４と受光部６５よりなるセンサー装置６０を取付け、発光部６４と受光部６５間の光線が遮断されたとき、センサー装置６０から出る信号６２を灌水ポンプ３４の停止スイッチ３９に入力し、灌水ポンプ３４が停止するものである。
【考案の効果】
【０００６】
栽培容器１２への灌水量が増え、漏斗部５２から液体が滴下すると、発光部６４と受光部６５間の光線が遮断される。すると受光部６５が出す信号により、灌水ポンプ３４が停止し、給水管３５を止める。
【図面の簡単な説明】
【０００７】
【図１】本考案の全体の概略正面図である。
【図２】図１の一部の拡大概略平面図である。
【図３】同上の一部拡大正面図である。
【図４】同上の要部の拡大正面図である。
【図５】同上の分解正面図である。
【図６】同上の要部の拡大側面図である。
【図７】同上の分解側面図である。
【考案を実施するための形態】
【０００８】
支柱２１上には、長方形の水平支持枠２２が設けられている。水平支持枠２２に、二本一組で相平行する水平材２３，２３が架設されている。水平材２３，２３の長手方向に沿って栽培容器１２が配置されている。各栽培容器１２の下方を通るように廃液受樋２４が設けられ、廃液受樋２４の液体Ｑは廃液タンク３３に導かれる。廃液タンク３３中の液体は濾過器３２，灌水ポンプ３４を介して支持水平枠２２の上部の水平棒２５に沿う給水管３５を介し分配管３６に送られる。液体Ｑは分配管３６の先端の液量調節弁３７を介して各栽培容器１２に送られる。
【０００９】
要約すると、この考案は、栽培容器１２・・・１２を配置する支持水平枠２２中に、二本一対の水平材２３，２３を渡し、両水平材２３，２３間に吊下げたところの一群の栽培容器１２・・・１２中のいずれか一つの栽培容器１２ａの下側に、上部の漏斗部５２と該漏斗部５２の下部出口５３を挟む対向内面に発光部６４と受光部６５よりなるセンサー装置６０を取付け、発光部６４と受光部６５間の光線が遮断されたとき、センサー装置６０から出る信号６２を回路６６を介して灌水ポンプ３４の停止スイッチ３９に入力し、灌水ポンプ３４が停止するものである。
【００１０】
幼苗４１を植えた栽培容器１２中の用土４２には、分配管３６を介して灌水が補給されているが、通常は底の排水口１３から水滴が落ちない程度に灌水しているが、過剰給水や雨等により過給水となり、排水口１３及び下部出口５３から水滴が落下したときには、受光部６５がキャッチして回路６６を介して灌水ポンプ３４を停止し、分配管３６からの給水を停止するので、用土４２中の養分の洩出を防ぐことも出来る。
【符号の説明】
【００１１】
１２    栽培容器
１２ａ  栽培容器
１３    排水口
２１    支柱
２２    支持水平枠
２３    水平材
２４    廃液受樋
２５    水平棒
３２    濾過器
３３    廃液タンク
３４    灌水ポンプ
３５    給水管
３６    分配管
３７    液量調整弁
３９    停止スイッチ
４１    幼苗
４２    用土
５１    周囲筒
５２    漏斗部
５３    下部出口
５４    対向内面（発光）
５５    対向内面（受光）
６０    センサー装置
６２    信号
６４    発光部
６５    受光部
６６    センサー回路
Ｑ      液体
【図１】
0003204476.tif 000003
【図２】
0003204476.tif 000004
【図３】
0003204476.tif 000005
【図４】
0003204476.tif 000006
【図５】
0003204476.tif 000007
【図６】
0003204476.tif 000008
【図７】
0003204476.tif 000009
(57)【要約】【課題】本考案は皮膚刺激が少なく、広い面積をカバーできる医療器具固定用粘着シートを提供することを課題としている。【解決手段】本考案による医療器具固定用粘着シートは、厚さ方向に貫通する一つ以上のスリットが形成されている。また伸縮性のある素材を基材に用いてもよい。【選択図】図１
0003204410.tif 000002
【実用新案登録請求の範囲】
【請求項１】
厚さ方向に貫通する一つ以上のスリットが形成されていることを特徴とする医療器具固定用粘着シート。
【請求項２】
基材が伸縮性基材である請求項１に記載の医療器具固定用粘着シート。
【考案の詳細な説明】
【技術分野】
【０００１】
本考案は、透析用チューブ、カテーテルチューブなどの医療器具を皮膚表面に固定するための医療器具固定用粘着シートに関する。
【背景技術】
【０００２】
従来、透析用チューブ、カテーテルチューブなどの医療器具を皮膚表面に固定するための医療器具固定用粘着シートが知られている。
【先行技術文献】
【特許文献】
【０００３】
【特許文献１】特開２０１５−１０７１９８
【考案の概要】
【考案が解決しようとする課題】
【０００４】
ここで伸縮性のある素材を用いた医療器具固定用粘着シートを、広い面積をカバーするために強い力で引き伸ばした状態で皮膚に貼付した場合に皮膚刺激を引き起こす問題があった。
【０００５】
本考案は上記の問題を解決することができる皮膚刺激が少なく広い面積をカバーできる医療器具固定用粘着シートを提供することを課題としている。
【課題を解決するための手段】
【０００６】
本考案による医療器具固定用粘着シートは、厚さ方向に貫通する一つ以上のスリットが形成されていることを特徴とする。これにより引き伸ばした状態で皮膚に貼付した場合、スリットが広がることにより、少ない力で広い範囲をカバーすることができ、同じ貼付面積にかかる力が少なくなる。これにより、皮膚刺激を少なくすることができる。また伸縮性のある素材を基材に用いてもよい。
【考案の効果】
【０００７】
本考案は上記の問題を解決することができる皮膚刺激が少なく広い面積をカバーできる医療器具固定用粘着シートを提供できる。
【図面の簡単な説明】
【０００８】
【図１】本考案の実施形態に係る医療器具固定用粘着シートの平面図である。
【図２】本考案の実施形態に係る医療器具固定用粘着シートの側面模式図である。
【図３】本考案の実施形態の変形例１に係る医療器具固定用粘着シートの平面図１ａと医療器具固定用粘着シートを広げた状態を示す参考図１ｂである。
【図４】本考案の実施形態の変形例２に係る医療器具固定用粘着シートの平面図２ａと医療器具固定用粘着シートを広げた状態を示す参考図２ｂである。
【図５】本考案の実施形態の変形例３に係る医療器具固定用粘着シートの平面図３ａと医療器具固定用粘着シートを広げた状態を示す参考図３ｂである。
【図６】本考案の実施形態の変形例４に係る医療器具固定用粘着シートの平面図４ａと医療器具固定用粘着シートを広げた状態を示す参考図４ｂである。
【図７】本考案の実施形態の変形例５に係る医療器具固定用粘着シートの平面図５ａと医療器具固定用粘着シートを広げた状態を示す参考図５ｂである。
【考案を実施するための形態】
【０００９】
以下に本考案の実施形態について図面を参照して説明する。
【００１０】
図１は本考案の実施形態に係る医療器具固定用粘着シートの平面図である。厚さ方向に貫通する一つ以上のスリットが形成されている。図２は本考案の実施形態に係る医療器具固定用粘着シートの側面模式図である。基材１に粘着剤２が積層され、さらにセパレーター３が積層されている。
【００１１】
本考案の実施形態に係る医療器具固定用粘着シートの基材には公知の基材を用いることができる。たとえば織布、編布、不織布などを用いてもよい。さらに伸縮性の素材を基材として用いてもよい。伸縮性基材としてはウレタン不織布が好ましい。
【００１２】
本考案の実施形態に係る医療器具固定用粘着シートの粘着剤には公知の粘着剤を用いることができる。たとえばゴム系粘着剤、アクリル系粘着剤、シリコーン系粘着剤、ウレタン系粘着剤などを用いてもよい。
【００１３】
本考案の実施形態に係る医療器具固定用粘着シートの粘着剤側には公知のセパレーターを積層してもよい。
【００１４】
本考案の実施形態の変形例に係る医療器具固定用粘着シートの平面図と医療器具固定用粘着シートを広げた状態を示す参考図を図３〜７に示す。
【産業上の利用可能性】
【００１５】
本考案は医療器具固定用粘着シートとして利用することができる。
【符号の説明】
【００１６】
１．基材
２．粘着剤
３．セパレーター
【図１】
0003204410.tif 000003
【図２】
0003204410.tif 000004
【図３】
0003204410.tif 000005
【図４】
0003204410.tif 000006
【図５】
0003204410.tif 000007
【図６】
0003204410.tif 000008
【図７】
0003204410.tif 000009
(57)【要約】      （修正有）【課題】本を開いて閲覧可能な状態に保持や閉じたページを再開でき、さらには安価で嵩張らないページホルダーを提供する。【解決手段】本を開いて閲覧可能なページを保持する上側押さえ部１と本の表紙、裏表紙を支持する下側押さえ部とから構成する。両方の部品を挟み込んで互いに近接するように板バネ３等で付勢されている。【選択図】図１
0003204951.tif 000002
【実用新案登録請求の範囲】
【請求項１】
ページを上から押さえる為の透明アクリル樹脂等本体に、本の表紙を下から押さえる為の樹脂等下側部品を板バネ等により上側部品本体と下側部品が互いに近接する方向に付勢されている。バネ付勢によりページを開いた状態に保持や栞等のように閉じたページの再開できることを特徴とするページホルダー
【考案の詳細な説明】
【技術分野】
【０００１】  本考案は、バネ付勢によりページを開いたまま閲覧可能な状態に保持、並びに栞の様に挟むことができる、ページホルダーに関するものである。
【背景技術】
【０００２】数多くの書物等を閲覧可能状態にしておくことや一度閉じてしまったページを開くには、重しとなる文鎮等や栞等を使用していた。厚手の書物を閲覧可能状態にしておくことはそれなりの重しとなる文鎮等をページの中心に載せないと閉じてしまうことがある。又、載せたところは文字等が見ることが出来ない為、精神的、労働的負担である。
【考案の概要】
【考案が解決しようとする課題】
【０００３】  それなりの重量な文鎮等は携帯して持ち運ぶには不便である。又、複数冊の場合文鎮等によって机上が占有されてしまい作業に支障を来たす。又、文鎮等は比較的高価な為出費が嵩むという問題もある。従って、文鎮等の機能と栞等の機能を一体化することにより前述の欠点を解決しようとするものである。
【課題を解決するための手段】
【０００４】  本考案は、バネの圧力により所定のページに開いた状態に保持でき、かつ横にずらすことでページが閉じてもそのページに戻れる機能がある。
【考案の効果】
【０００５】  上述の様に、本考案のページホルダーは比較的小型で携帯性に優れ、アクリル樹脂等な為、軽量かつ安価である。又、ページ押さえ部は、透明な材料から構成されているので、ページ押さえ部がページに印刷された文字を覆ったとしても文字を容易に読み取ることができる。またページ押さえ部は薄くできている為、栞等の様に閉じた本はかさばりにくい。
【図面の簡単な説明】
【０００６】
【図１】本考案のページホルダーの一実施例を示す正面図である。
【図２】本ページホルダーの背面図である。
【図３】本ページホルダーの側面図である。
【図４】任意のページで開いた状態で栞としての使用状態を示す正面図である。
【図５】任意のページで開いた状態で左側での使用状態を示す正面図である。
【図６】任意のページで開いた状態で右側での使用状態を示す正面図である。
【考案を実施するための形態】
【０００７】本を所定のページに開いておく、開いたページの厚みは左右対称とは限らない為、［図５］［図６］の様に左右どちらか中央部にまたがり挟みやすい場所で挟む。栞等の様な機能を使用する場合、［図４］の様に中央部にまたがらない様に挟む。
【実施例】
【０００８】  以下、添付図面に従って一実施例を説明する。１は開いたページを上から押さえる為の透明アクリル等敵宣素材で形成されたページホルダー上側部品本体、２は本の表紙を下から押さえる為のアクリル等敵宣素材で形成されたページホルダー下側部品、３はステンレス等敵宣素材で形成された板バネ等の３部品から構成されている。３の板バネ等により１の上側部品本体と２の下側部品が互いに近接する方向に付勢されている。次に本考案の実施の形態の作用について説明する。１の上側部品と２の下側部品の滑り止め４に指をあて互いに接近するように押す。板バネ等の付勢に抗して、１の上側部品と２の下側部品が互いに離間する。そこで開いているページに１の上側部品と２の下側部品を挟みこんで指を放す。そうすると［図４］、［図５］、［図６］の様にページを保持した状態が保たれる。
【符号の説明】
【０００９】１  ページホルダー本体上側部品
２  下側部品
３  板バネ
４  指を当て互いに近接させる滑り止めの付いた部位
【図１】
0003204951.tif 000003
【図２】
0003204951.tif 000004
【図３】
0003204951.tif 000005
【図４】
0003204951.tif 000006
【図５】
0003204951.tif 000007
【図６】
0003204951.tif 000008
【手続補正書】
【提出日】平成28年4月4日(2016.4.4)
【手続補正１】
【補正対象書類名】実用新案登録請求の範囲
【補正対象項目名】全文
【補正方法】変更
【補正の内容】
【実用新案登録請求の範囲】
【請求項１】
ページを上から押さえる為の透明アクリル樹脂等の透明な材料からなる上側部品本体に、本の表紙を下から押さえる為の樹脂等の透明な材料からなる下側部品がバネの部品により上側部品本体と下側部品が互いに近接する方向に付勢され、バネ付勢によりページを開いた状態に保持や栞等のように閉じたページを再開できることを特徴とするページホルダー。
(57)【要約】      （修正有）【課題】道路の路側にある溝に設置する溝蓋であって、自動車が通行したとき、大きな音が発生しない溝蓋を提供する。【解決手段】溝蓋１の形を三角形にし、三角形の各角に短い脚２〜７を付け、３点で支えるように設置できる。３点で支えるとガタや振動がでないので、騒音も防ぐことができる。【選択図】図１
0003204954.tif 000002
【実用新案登録請求の範囲】
【請求項１】
自動車等が通行する道路の路側にある溝に設置する溝蓋であり、特に道路のカーブしている場所に設置すると効果が大きい溝蓋である。既存の溝蓋では道路がカーブしている場所で、自動車がよく溝蓋の上を通行し、その時溝蓋がガタガタと大きな音を発てる。この三角形により三点で接する構造の溝蓋を設置することに因り、自動車が溝蓋の上を通行してもガタがなく、騒音がでない。上記したように、三角形で三点で接する事によりガタガタせず、騒音の出ないことを特徴とする溝蓋である。
【考案の詳細な説明】
【技術分野】
【０００１】  本考案は、三角形の三点で接するタイプの消音溝蓋に関するものである。
【背景技術】
【０００２】  自宅周りの道路において、たびたび道路のカーブしている付近を自動車が通交した時、大きなガタガタ音がして驚いたり、寝ていると目が覚めてしまう。
【考案の概要】
【考案が解決しようとする課題】
【０００３】  現在設置されている四角形のコンクリート板製溝蓋では、溝と蓋の間に土とか小石が挟まりガタガタと振動するようになる。その後自動車が走り通ると大きな音が発生する。このガタと振動をなくし、大きな音が発生しないようにするものである。
【課題を解決するための手段】
【０００４】  本考案は、溝蓋の型を三角形にすることに因り、溝に設置した時に溝と溝蓋との接点が３点になるようにするのがポイントです。理論的に３点で支えると必ず安定し、ガタガタ振動することがない。これで問題を解決する。
【考案の効果】
【０００５】  上記のように蓋が安定するのは勿論だが、例えば接地点に小石や何か物が挟まっても同じように安定している。
【図面の簡単な説明】
【０００６】
【図１】本考案の消音型溝蓋の設置例を示す上面図である。
【図２】設置した消音型溝蓋の断面図である。
【考案を実施するための形態】
【０００７】  主に道路のカーブに沿って付けられている溝に図１のように設置する。
【符号の説明】
【０００８】  ▲１▼          三角形の溝蓋
▲２▼〜▲７▼  ５Ｘ８センチ角で高さ１センチ程の蓋の接地用足
▲８▼〜▲９▼  ５Ｘ８センチ角で高さ１センチ程の蓋の接地用足
【図１】
0003204954.tif 000003
【図２】
0003204954.tif 000004
【手続補正書】
【提出日】平成28年3月30日(2016.3.30)
【手続補正１】
【補正対象書類名】実用新案登録請求の範囲
【補正対象項目名】全文
【補正方法】変更
【補正の内容】
【実用新案登録請求の範囲】
【請求項１】
道路の路側にある溝に設置する溝蓋であり、三角形をした溝蓋の各角三点に短い脚を付けることで、三点で接地をしながら設置され、ガタが出ないことを特徴とする溝蓋。
(57)【要約】      （修正有）【課題】耐震性に優れ、組み立ても容易であり、震災の影響を受けた世界各国で復興に貢献できるような建築材料を提供する。【解決手段】木あるいはレンガ、あるいは産業廃棄物を再利用した素材を、正方形や長方形の直方体としたものに、縦方向から金属製あるいは、木や竹などの真直ぐな細長い棒が通るように上下面に貫通する穴２を２箇所以上開け、横方向から金属製あるいは、木や竹などの真直ぐな細長い棒を組み込めるように、穴を開けた上面の穴と穴に沿うように端から端に溝１を設けた建築材料とすることにより、縦方向と横方向で建材一つ一つを固定された状態とする事が可能となり、想定外の震災に備えた耐久性向上と確保とともに、被災地で比較的手配しやすい材料を使用する事で、倒壊後の復興にも貢献する事が可能となる。【選択図】図１
0003204983.tif 000002
【実用新案登録請求の範囲】
【請求項１】
木あるいはレンガ、あるいは産業廃棄物を再利用した素材を、正方形や長方形の直方体としたものであって、縦方向に金属製あるいは木や竹などの真直ぐな細長い棒を通すために、上下面に貫通する穴（２）を２箇所以上開けたものであり、横方向に木や竹などの真直ぐな細長い棒を組み込むために、穴（２）を開けた直方体上面には穴（２）と穴（２）に沿うように溝（１）を端から端まで設けてある事を特徴とする建築材料。
【考案の詳細な説明】
【技術分野】
【０００１】  本考案は、木あるいはレンガ、あるいは産業廃棄物を再利用した素材を、正方形や長方形の直方体としたものに、縦方向から金属製あるいは、木や竹などの真直ぐな細長い棒が通す事が出来るように、上下面に貫通する穴を２箇所以上開け、横方向から金属製あるいは、木や竹などの真直ぐな細長い棒を組み込む事が出来るように、穴を開けた上面の穴と穴に沿うように端から端に溝を設けた建築材料とすることにより、縦方向横方向で棒同士の固定が可能となる事で、建材一つ一つが固定された状態となり、耐久性を向上させることによる、安全性に配慮した建築材料に関するものである。
【背景技術】
【０００２】  従来のものは、直方体の建築材料をセメントなどで積み重ねて接着していく、あるいは縦に鉄筋を通して積み重ねて建築していた。
【考案の開示】
【本考案が解決しようとする課題】
【０００３】  これらには以下のような欠点があった。
想定外の震災などにたいして耐久性が十分確保されているとは言えず、簡単に倒壊してしまう危険性がある。また、作業途中においは安定性も十分で無いため、安全性確保のために完成まで作業終了の度に都度、建材の固定等の対策が必要であった。本考案はこれらの欠点を解消するために、なされたものである。
【課題を解決するための手段】
【０００４】  木あるいはレンガ、あるいは産業廃棄物を再利用した素材を、正方形や長方形の直方体としたものに、縦方向から金属製あるいは、木や竹などの真直ぐな細長い棒が通るように、上下面に貫通する穴を２箇所以上開け、横方向から金属製あるいは、木や竹などの真直ぐな細長い棒を組み込む事ができるように、穴を開けた上面の穴と穴に沿うように端から端に溝を設けた建築材料とすることにより、縦方向横方向の棒同士固定する事が可能となり、建材一つ一つが固定された状態とする事が可能となり、耐久性を向上させることにより、安全性に配慮した建築材料にとする事が可能となる。
【考案の効果】
【０００５】  木あるいはレンガ、あるいは産業廃棄物を再利用した素材を、正方形や長方形の直方体としたものに、縦方向から金属製あるいは、木や竹などの真直ぐな細長い棒が通すために上下面に貫通する穴を２箇所以上開け、横方向から金属製あるいは木や竹などの真直ぐな細長い棒を組み込めるように、穴を開けた上面の穴と穴に沿うように端から端に溝を設けた建築材料とすることにより、縦方向横方向の棒同士を固定する事が可能となり、建材一つ一つが固定された状態とする事が可能となることで、耐久性を向上させた、安全性に配慮した建築材料とする事が可能となる。
想定外の震災に備えた耐久性向上と確保とともに、被災地で比較的手配しやすい材料を使用する事が可能であるため、倒壊後の復興も容易となる事が期待出来る。また、産業廃棄物の活用と焼却による一酸化炭素の抑制により、地球温暖化の抑制への貢献も期待出来る。
【考案の実施するための最良の形態】
【０００６】  木あるいはレンガ、あるいは産業廃棄物を再利用した素材を、正方形や長方形の直方体としたものに、縦方向から金属製あるいは、木や竹などの真直ぐな細長い棒が通すために上下面に貫通する穴を２箇所以上開け、横方向から金属製あるいは、木や竹などの真直ぐな棒を組み込むために穴を開けた上面の穴と穴に沿うように端から端に溝を設けた建築材料とする。
本考案は以上の構成でこれを使用するときは、縦方向に鉄筋や竹などの真直ぐな棒を直方体上下面の穴に通し、横方向には鉄筋や竹などの真直ぐな棒を組み込み、縦方向と横方向の棒同士を針金や紐等で固定し、建材一つ一つが固定された状態にして建材を積み重ねる。
【図面の簡単な説明】
【０００７】
【図１】  本考案の斜視図
【図２】  本考案の平面図
【図３】  本考案の底面図
【図４】  本考案の右側面図
【図５】  本考案の使用斜視図
【符号の説明】
【０００８】  （１）は溝
（２）は穴
【図１】
0003204983.tif 000003
【図２】
0003204983.tif 000004
【図３】
0003204983.tif 000005
【図４】
0003204983.tif 000006
【図５】
0003204983.tif 000007
(57)【要約】      （修正有）【課題】壁面に収納ブラケットを固定できるタイプの小型掃除機を購入しながら、壁に穴を開けたくない。また設置したい位置が襖になっているなどの理由から、好みの壁面位置に収納ブラケットを固定する事ができない人に対し、収納ブラケットを固定できる垂直固定台を提供する。【解決手段】床設置台と垂直板と垂直保持板を備え、垂直板には、充電器用電源線材を通す貫通穴を備え、垂直板の表面には、小型掃除機用の収納ブラケットをネジ固定する時のネジ用下孔を備え、垂直板の背面には、線材が壁面に当たる事を防止するための突起と充電器用電源線材を処理する為のクリップ等の線材処理具とを備えた。【選択図】図１
0003204981.tif 000002
【実用新案登録請求の範囲】
【請求項１】
床設置台と垂直板と垂直保持板を備え、該垂直板には、充電器用電源線材を通す貫通穴を備え、該垂直板の表面には、小型掃除機用の収納ブラケットをネジ固定時のネジ用下孔を備え、該垂直板の背面には、突起と充電器用電源洗剤を処理する為の線材処理具とを備えた事を特徴とする小型掃除機用収納ブラケットの垂直固定台。
【考案の詳細な説明】
【技術分野】
【０００１】  本考案は、小型掃除機において、収納用ブラケットを壁面に設置し、壁面に設置した収納用ブラケットに小型掃除機を収納する掃除機に関するものである。
【背景技術】
【０００２】  現在、小型掃除機において、壁面に固定した収納用ブラケットに小型掃除機本体を収納するタイプが販売されている。また収納用ブラケットに小型掃除機を収納した状態で充電も行う事ができ、収納と同時に充電もできることはかなり便利である。【０００３】  しかしながら、賃貸マンションやアパートに暮らす人にとって、何処の壁面でも好きに釘を打つ事ができない場合があり、また壁に穴を開けたくないという人も多く、この様な人にとって、収納ブラケットを好きな位置の壁面に固定できない状態があった。【０００４】  また、和室の場合、部屋の間仕切りが襖である場合や、塗り壁になっている場合もあり、洋風マンションと同様に、収納ブラケットを好きな位置の壁面に固定できない人もいた。
【考案の開示】
【考案が解決しようとする課題】
【０００５】  本考案は、壁面に収納ブラケットを固定できるタイプの小型掃除機を購入しながら、壁に穴を開けたくない。また設置したい位置が襖になっているなどの理由から、好みの壁面位置に収納ブラケットを固定する事ができない人に対し、収納ブラケットを固定できる垂直固定台を提供する事にある。
【課題を解決するための手段】
【０００６】  本考案は、床設置台と垂直板と垂直保持板を備え、該垂直板には、充電器用電源線材を通す貫通穴を備え、該垂直板の表面には、小型掃除機用の収納ブラケットをネジ固定時のネジ用下孔を備え、該垂直板の背面には、突起と充電器用電源洗剤を処理する為の線材処理具とを備えた事を特徴とする。
【考案の効果】
【０００７】  本考案の小型掃除機用収納ブラケットの垂直固定台に収納ブラケットを固定した場合、住居のどのような壁面前にも小型掃除機を備える事が可能となる。また垂直固定台を移動する事により、何処にでも小型掃除機を設置する事が可能となる。
【考案を実施するための最良の形態】
【０００８】  床設置台の裏面には４個の足となるゴム足を配し、垂直板背面には、充電器用電源線材の処理具設置位置表示を備え、線材処理具を使用し、充電器用の電源線材を処理し、更に壁面当て用の数個のゴム製の突起物を配し、背面のガタツキを押える事が望ましい。
【実施例１】
【０００９】  図１は、本考案の小型掃除機用収納ブラケットの垂直固定台の斜視図である。１は床設置台あって、２は垂直板、３は垂直保持板、４はネジ用下孔、５は貫通穴を示している。垂直板２のトップ付近にはネジ用下孔３を配し、収納ブラケットを固定する際、容易にビス止めができるようにしている。図１に示すネジ用下孔４は、ダイソンのコードレスクリーナー用の収納用ブラケット固定用のネジ用下孔位置である。他の小型掃除機用とする場合は、その機種用の位置に下孔を設けることが有る。【００１０】  垂直板２の長さは、収納ブラケットの固定高さを決めるもので有り、１００から１３０ｃｍ位の長さがあることが望ましい。【００１１】  垂直保持板３は、床設置台１に対し垂直板２を安定的に保持、固定するための部材であって、材質形状などを既定しない。【００１２】  貫通孔５は、収納用ブラケットが充電機能を有する場合の電源用線材が背面から表面に持ってくるときの通り道となる。この穴が無い場合、背面からの電源線材が垂直板２の横から表面に回す事になり、見た目が悪くなる。【００１３】  図２は、本考案の小型掃除機用収納ブラケットの垂直固定台の背面からの斜視図である。６は突起であり、７は線材処理具を示している。図２では、突起６を６個、線材処理具７が３個配されているが、位置及び個数を限定する物ではない。【００１４】  図３は、突起６、および線材処理具７の詳細を示す斜視図である。但し、突起６、および線材処理具７共に形状をこれに限る物ではない。線材処理具７は、裏面を通る電源線材を安定的に配線する為に使用する。突起６は、配線する線材が直接壁面に当たる事を防止する為に配している。突起７は、ゴム製の突起物を使用することがある。
【産業上の利用可能性】
【００１５】  本発明の、小型掃除機用収納ブラケットの垂直固定台に収納用ブラケットを固定し、収納用ブラケットへ小型掃除機を収納する事で、家屋のどの場所にも小型掃除機を設置する事ができ、また垂直固定台を移動する事で、何処にでも収納位置を変更する事を可能としている。
【図面の簡単な説明】
【００１６】
【図１】小型掃除機用収納ブラケットの垂直固定台の斜視図。
【図２】小型掃除機用収納ブラケットの垂直固定台の背面からの斜視図。
【図３】突起６、および線材処理具７の詳細を示す斜視図。
【符号の説明】
【００１７】  １    床設置台
２    垂直板
３    垂直保持板
４    ネジ用下孔
５    貫通穴
６    突起
７    線材処理具
【図１】
0003204981.tif 000003
【図２】
0003204981.tif 000004
【図３】
0003204981.tif 000005